(57)【要約】【課題】遊技者の遊技への注目度を高めることが可能な優れた遊技機を提供すること。【解決手段】パチンコ遊技機１は、通常入賞ラインを形成するリール４１Ｌ、Ｃ、Ｒに加えて、リール４１Ｌ（Ｒ）と重なって設けられた内側リール４２Ｌ（Ｒ）を有していると共に、内側リール４２Ｌ（Ｒ）が視認可能となる特別位置にリール４１Ｌ（Ｒ）を移動させる移動手段を備えており、通常入賞ライン上でハズレ図柄が停止表示された後、リール４１Ｌ（Ｒ）が特別位置に移動して内側リール４２Ｌ（Ｒ）及びリール４１Ｃと共に特別入賞ラインを形成し、特別入賞ライン上で大当たり図柄が停止して大当たり状態が発生する場合が設定されている。【選択図】図１
2019088767.tif 000002
【特許請求の範囲】
【請求項１】
所定の抽選条件が成立した場合に遊技者に有利な特別遊技状態の抽選を実行する抽選手段と、
図柄を変動表示することが可能であり、並べて設けられた第１変動表示部、第２変動表示部、及び第３変動表示部と、
前記第１変動表示部、前記第２変動表示部、及び前記第３変動表示部によって形成される通常入賞ライン上において、それらの変動表示部が停止表示した図柄の組み合わせが、前記特別遊技状態の発生に対応した図柄の組み合わせである場合に前記特別遊技状態を発生させる通常発生手段と、
図柄を変動表示すると共に、前記第１変動表示部と重なって設けられた内側変動表示部と、
前記第１変動表示部が前記内側変動表示部と重なって当該内側変動表示部を遮蔽した通常位置から、遊技者が前記内側変動表示部を視認可能な位置であり、前記第１変動表示部、前記内側変動表示部、及び前記第２変動表示部によって特別入賞ラインを形成する位置である特別位置に、当該第１変動表示部を移動させる移動手段と、
前記特別入賞ラインにおいて、前記第１変動表示部、前記内側変動表示部、及び前記第２変動表示部が停止表示した図柄の組み合わせが、前記特別遊技状態の発生に対応した図柄の組み合わせである場合に前記特別遊技状態を発生させる特別発生手段と、を備えたことを特徴とする遊技機。
【請求項２】
前記移動手段は、前記通常入賞ラインに停止表示した図柄の組み合わせに対応した抽選結果が外れである場合に、前記第１変動表示部を前記特別位置に移動させることを特徴とする請求項１に記載の遊技機。
【請求項３】
前記移動手段は、前記第１変動表示部及び前記第２変動表示部が停止表示している図柄が、当該第１変動表示部を前記特別位置に移動させると、前記特別入賞ラインにおいて前記特別遊技状態の発生に対応した図柄の組み合わせの一部を形成することになる図柄である場合に、前記第１変動表示部を前記特別位置に移動させるものであり、
前記内側変動表示部は、前記第１変動表示部及び前記第２変動表示部が前記特別入賞ラインにおいて前記特別遊技状態の発生に対応した図柄の組み合わせの一部を形成している状況で、図柄を変動表示することを特徴とする請求項２に記載の遊技機。
【請求項４】
前記移動手段は、前記第１変動表示部及び前記第２変動表示部が停止表示している図柄が、当該第１変動表示部を前記特別位置に移動させると、前記特別入賞ラインにおいて前記特別遊技状態の発生に対応した図柄の組み合わせの一部を形成することになる図柄である場合に、前記第１変動表示部の前記特別位置への移動を開始させるものであり、
前記内側変動表示部は、前記第１変動表示部の前記特別位置への移動が開始される場合、当該第１変動表示部が前記特別位置に到達する前に、前記特別遊技状態の発生に対応した図柄の組み合わせの一部を形成する図柄を停止表示することを特徴とする請求項２に記載の遊技機。
【発明の詳細な説明】
【技術分野】
【０００１】
本発明は、遊技機に関する。
【背景技術】
【０００２】
従来より、多くのパチンコ遊技機では、大当たり状態の抽選を実行した場合、図柄変動の後に停止表示した図柄によってその抽選結果を報知する。例えば下記の特許文献１のパチンコ遊技機では、リール（ドラム）を用いた図柄の変動表示によって大当たり状態の抽選結果を報知している。
【０００３】
上記のパチンコ遊技機では、図柄変動が単調化することを抑制するために様々な工夫がなされており、例えば特許文献１では、リールの内側にさらにリールを設け、外側のリールが透明な部位で停止した場合に、内側リールの図柄が視認可能になる図柄変動を実行することが記載されている。このように、従来のパチンコ遊技機では、図柄変動の実行態様を工夫することで、遊技者の遊技への注目度を高めようとしている。
【先行技術文献】
【特許文献】
【０００４】
【特許文献１】特開２００８−０６８０２６号公報
【発明の概要】
【発明が解決しようとする課題】
【０００５】
しかしながら、上記従来の遊技機では、遊技者が遊技に慣れてくると、同様の図柄変動を実行しても遊技への注目度を高める効果が充分に得られなくなる。このため、遊技者の遊技への注目度を高めることができる斬新な図柄変動を実行可能な遊技機の開発が求められている。
【０００６】
本発明は、前記従来の問題点に鑑みてなされたものであり、遊技者の遊技への注目度を高めることが可能な遊技機を提供することを目的とする。
【課題を解決するための手段】
【０００７】
本発明の遊技機は、通常入賞ラインを形成する第１変動表示部、第２変動表示部、及び第３変動表示部に加えて、第１変動表示部と重なって設けられた内側変動表示部を有していると共に、内側変動表示部が視認可能となる特別位置に第１変動表示部を移動させる移動手段を有している。
【０００８】
この遊技機では、特別遊技状態の発生に対応した図柄の組み合わせが、第１〜第３変動表示部によって形成される通常入賞ライン上に停止表示された場合に特別遊技状態が発生する。さらに、特別遊技状態の発生に対応した図柄の組み合わせが通常入賞ライン上で停止しなくても、第１変動表示部が特別位置に移動して第２変動表示部及び内側変動表示部と共に形成する特別入賞ライン上で、特別遊技状態の発生に対応した図柄の組み合わせが停止すれば、特別遊技状態が発生する。
【０００９】
このように本発明の遊技機では、第１変動表示部が移動することで特別入賞ラインを形成すると共に内側変動表示部が視認可能になる。つまり、この遊技機では、第１変動表示部の移動により単に内側変動表示部が視認可能になるだけではなく、内側変動表示部による図柄変動に第１変動表示部の停止図柄が関係することになる。これにより、第１変動表示部が移動するか否か、及び第１変動表示部に停止している図柄に遊技者が注目することになる。この結果、遊技者の遊技への注目度を高めることができる。
【００１０】
このように本発明の遊技機は、遊技者の遊技への注目度を高めることが可能な優れた遊技機である。
【図面の簡単な説明】
【００１１】
【図１】パチンコ遊技機の正面図。
【図２】可動部が左右にせり出した状態の図柄変動表示ユニットを示す斜視図。
【図３】可動部が左右にせり出した状態の図柄変動表示ユニットの構造を示す断面図。
【図４】可動部を収納する状態の図柄変動表示ユニットを示す斜視図。
【図５】可動部を収納する状態の図柄変動表示ユニットの構造を示す断面図。
【図６】入賞ラインを示す説明図。
【図７】パチンコ遊技機の電気的な構成を示すブロック図。
【図８】報知演出パターン（１）の説明図。
【図９】報知演出パターン（２）の説明図。
【図１０】報知演出パターン（３）の説明図。
【図１１】報知演出パターン（４）の説明図。
【図１２】報知演出パターン（５）の説明図。
【発明を実施するための形態】
【００１２】
本発明の実施の形態につき、以下の実施例を用いて具体的に説明する。
（実施例１）
本例は、図柄を変動表示する機能を備えたパチンコ遊技機（遊技機）１に関する例である。この内容について、図１〜図１２を用いて説明する。
【００１３】
パチンコ遊技機１は、パチンコ玉（玉）を遊技媒体として遊技される遊技機である。このパチンコ遊技機１は、始動口への入賞に応じて大当たり状態（特別遊技状態）の抽選（大当たり抽選）が実行され、当否の抽選結果を報知する図柄変動（図柄の変動表示）が実行される、いわゆるセブン機である。パチンコ遊技機１では、大当たり状態以外の遊技状態として、遊技者側の有利度合いが低い通常状態のほか、図柄の変動時間が短くなる時短状態等が設定されている。
【００１４】
図１に例示のパチンコ遊技機１は、図示しない台枠に取り付けられた開閉扉１３を有し、その内側の遊技盤面に遊技領域１３０が形成された遊技機である。略円形状の遊技領域１３０の下部両側には左右一対のスピーカ孔１３１Ｓが配置され、遊技領域１３０の下側には玉供給皿１３５が遊技者側に張り出すように設けられている。玉供給皿１３５の右下には、玉供給皿１３５の玉を遊技領域１３０に向けて発射するための操作ハンドル１５が立設されている。
【００１５】
開閉扉１３は、パチンコ遊技機１に対面して左側に位置するヒンジ１３３を介して回動可能な状態で台枠に固定されている。開閉扉１３には、遊技領域１３０に対応する略円形状の透明窓１３９と、透明窓１３９の上部両側に配置された装飾ランプ部１３２と、が設けられている。
【００１６】
玉供給皿１３５は、入賞に応じて払い出された賞球の玉や、貸玉等を受け入れるための受け皿である。玉供給皿１３５の玉は、図示しない供給通路を経由して発射装置３４１（図７を参照。）に供給される。
【００１７】
遊技領域１３０は、遊技媒体であるパチンコ玉が流下する領域である。遊技領域１３０には、図柄を変動表示する中央表示器１９を中心として、遊技領域１３０を流下した玉が入賞可能な入賞口である始動口１２、通過ゲート１４、大入賞装置１６等が配置されている。遊技領域１３０の最下部には、入賞することなく流下した玉を回収するためのアウト孔１３８が開口している。遊技領域１３０の左側縁部にはＬＥＤよりなる普図表示部１８２及び普図保留表示部１８３が配置されている。
【００１８】
通過ゲート１４は、通過玉を検知するゲートである。玉を通過させるのみの通過ゲート１４には、賞球の払い出しが設定されていない。通過ゲート１４を玉が通過すると、普通図柄の当否判定（以下、普図判定という。）用の抽選用乱数が抽出され、普図判定が実行される。普図当選確率は、通常状態では１／３０、確変状態及び時短状態では１／１となっている。
【００１９】
普図表示部１８２は、普図判定結果の表示部である。普図表示部１８２は、ＬＥＤを点灯させることにより当選を表示し、消灯に応じてハズレを表示する。なお、普図の変動時間は通常状態で３０秒、確変状態及び時短状態で１秒となっている。
普図保留表示部１８３は、普図保留として記憶（保留）された普図判定結果を表示できるよう、４つのＬＥＤが縦に連設された表示部である。普図保留表示部１８３は、ＬＥＤの点灯個数により普図保留の保留数（上限保留数４個）を表示する。
【００２０】
始動口１２は、大当たり抽選の契機となる入賞口（払出３個）である。始動口１２に玉が入賞すると、大当たり抽選の抽選用乱数が抽出され大当たり抽選が実行される。始動口１２は、一対の可動羽根１２１を開口部１２０に設けた電チュー（電動チューリップ）により構成されている。
【００２１】
通常時の一対の可動羽根１２１は、隙間を空けて相互に対面するように起立する状態（図１中、点線で示す状態。）にある。この状態では、上方に向けて開口する玉１個分の隙間を介してのみ玉が入賞する可能性がある。一方、相互に離隔するように回動した一対の可動羽根１２１（同図中、実線で示す状態。）は、開口部１２０への玉の流入をガイドする受け皿のように機能する。このような開放状態では、始動口１２への入賞が容易に発生する。始動口１２の開放時間は、通常状態では０．２秒、確変状態及び時短状態では１．５秒×３回となっている。
【００２２】
大入賞装置１６は、大入賞口１６０を開口する、いわゆるアタッカーと呼ばれる可変入賞装置である。このアタッカー１６は、始動口１２の下側に配置されている。アタッカー１６は、横長略矩形状を呈する大入賞口１６０と、この大入賞口１６０を封止する蓋部材１６１と、を有している。
【００２３】
平常時のアタッカー１６では、遊技領域１３０をなす盤面と略面一をなすように蓋部材１６１が位置し、大入賞口１６０が閉鎖状態となっている。蓋部材１６１が手前側に回動すると大入賞口１６０が開放状態となり、大入賞口１６０に玉を導くための受け皿として蓋部材１６１が機能する。なお、大入賞口１６０に入賞したときの払出は１５個となっている。
【００２４】
中央表示器１９は、枠体１９１の内側に図柄表示窓１９０が配置された大型の表示器である。枠体１９１のうち、図柄表示窓１９０の上側に当たる部分には、大当たり抽選の抽選結果である特図保留の数を表示する特図保留表示部１９２が配置されている。この特図保留表示部１９２は、水平方向に配置された４箇所の表示ランプ１９２Ｓにより構成され、表示ランプ１９２Ｓの点灯数により特図保留の保留数（上限保留数４個）を表示する。
【００２５】
図柄表示窓１９０は、大当たり抽選の抽選結果を報知するために図柄を変動表示する表示窓である。図柄表示窓１９０の内側には、後述する可動機構を備える図柄変動表示ユニット５（図２）が配置されている。図柄変動表示ユニット５は、通常３桁の図柄を図柄表示窓１９０に表示させる一方、リーチ演出等の特別な演出の実行時には左右方向に伸張して４桁あるいは５桁の図柄を図柄表示窓１９０に表示可能である。
【００２６】
図柄変動表示ユニット５（図２〜図５）は、５つのリール４１、４２を保持する筐体５１を備えている。筐体５１は、本体部５１１と、本体部５１１に収納可能なように両側に設けられた可動部５１２Ｌ、Ｒと、の組み合わせにより構成されている。本体部５１１は、角筒形状を元にして、４面の外周側面のうち遊技者側に対面する手前側の一面を取り外したような断面コの字状を呈する部材である。この本体部５１１では、角筒形状の筒方向に当たる長手方向の寸法を略三等分する２箇所に隔壁５１６Ｌ、Ｒが設けられ、内部に３か所の空間が形成されている。
【００２７】
可動部５１２Ｌ、Ｒは、本体部５１１と同様、断面コの字状をなす一方、角筒形状の筒方向に当たる前記長手方向の一方の端部に側端壁を設けた部材である。この可動部５１２Ｌ、Ｒのコの字状の断面形状の大きさは、本体部５１１の内側に収納可能なように本体部５１１の断面形状よりもひと回り小さく設定されている。また、可動部５１２Ｌ、Ｒの前記長手方向の寸法については、本体部５１１の上記の３か所の空間のうち、隔壁５１６Ｌ、Ｒの外側に位置する空間に収納可能なように、この空間の前記長手方向の寸法よりも若干、短く設定されている。
【００２８】
本体部５１１は、前記長手方向に沿うように取り付けられ、可動機構を構成するスライドレール５１８を介して可動部５１２Ｌ、Ｒを進退可能に支持している。可動部５１２Ｌ、Ｒは、可動機構を構成する駆動ギア（図示略）を介して移動モータ４７Ｌ、Ｒによって駆動され、スライドレール５１８を利用して長手方向（左右方向、水平方向）に進退する。可動部５１２Ｌ、Ｒが長手方向外側に移動すると、本体部５１１の外側に可動部５１２Ｌ、Ｒがせり出し、これにより筐体５１が長手方向に伸張する（図２、図３）。一方、可動部５１２Ｌ、Ｒが長手方向内側に移動すると、本体部５１１の内部に可動部５１２Ｌ、Ｒが収納されて、筐体５１の長手方向の寸法が本体部５１１の寸法に略一致する（図４、図５）。
【００２９】
なお、図２〜図５では、可動部５１２Ｌ、Ｒの両方がせり出した場合と、両方が本体部５１１に収納された場合と、を例示しているが、可動部５１２Ｌ、Ｒの一方のみが外側にせり出し、他方が本体部５１１に収納される作動状態も設定可能となっている。また、図２及び図４では、構成の理解の容易のため、リール４１、４２を破線で図示している。
【００３０】
図柄変動表示ユニット５（図２〜図５）では、本体部５１１の隔壁５１６Ｌの両側の側面、隔壁５１６Ｒの側面のうち前記長手方向外側を向く側面、可動部５１２Ｌ、Ｒの側端壁の内側面、にそれぞれ、リール４１（４２）を回転駆動するためのリールモータ４４（４６）が同軸をなすように固定されている。リールモータ４４（４６）はいずれも同じ仕様のステッピングモータである一方、リールモータ４４（４６）に取り付けるリールには大きさの異なる２種類のリール４１、４２がある。
【００３１】
隔壁５１６Ｌの前記長手方向内側を向く側面、及び可動部５１２Ｌ、Ｒの側端壁の内側面のリールモータ４４Ｃ、Ｌ、Ｒには、大径のリール４１Ｃ、Ｌ、Ｒが取り付けられている。隔壁５１６Ｌ、Ｒの長手方向外側を向く側面のリールモータ４６Ｌ、Ｒには、小径の内側リール４２Ｌ、Ｒが取り付けられている。各リール４１、４２は、リールモータ４４、４６の取付面とは反対側が開口するカップ形状のリールとなっている。
【００３２】
ここで、隔壁５１６Ｌ、Ｒの前記長手方向外側を向く側面には、内側リール４２Ｌ、Ｒに対して外挿配置される円筒形状の外筒５２（図３、図５）が立設されている。この外筒５２は、大径のリール４１Ｌ、Ｒの内側に収容され得るよう、リール４１Ｌ、Ｒよりも小径となっている。外筒５２の外周面では、遊技者側に対面する位置に表示窓５２０（図１参照。）が１箇所穿設されている。この表示窓５２０は、同時に２以上の図柄を表示できず、停止図柄を１個のみ表示する大きさの窓である。外筒５２は遊技者の視線を遮断可能な素材で作られており、内側リール４２の図柄は、表示窓５２０を介してのみ遊技者側から視認可能である。なお、図２及び図４では、外筒５２の図示を省略している。
【００３３】
可動部５１２Ｌ、Ｒに取り付けられた大径のリール４１Ｌ、Ｒは、そのカップ形状の内側に、外筒５２及び内側リール４２Ｌ、Ｒを収容可能である。また、隔壁５１６Ｌ、Ｒの前記長手方向外側を向く側面のリールモータ４６Ｌ、Ｒに取り付ける小径の内側リール４２Ｌ、Ｒは、そのカップ形状により、可動部５１２Ｌ、Ｒに取り付けられたリールモータ４４Ｌ、Ｒとの干渉を回避できる。例の図柄変動表示ユニット５では、大径のリール４１Ｌ、Ｒを回転駆動する可動部５１２Ｌ、Ｒのリールモータ４４Ｌ、Ｒと、小径の内側リール４２Ｌ、Ｒを回転駆動するリールモータ４６Ｌ、Ｒと、が同軸をなすように対向配置されている。そしてリール４１Ｌ、Ｒ、内側リール４２Ｌ、Ｒのカップ形状によって、大径のリール４１Ｌ、Ｒと小径の内側リール４２Ｌ、Ｒ及び外筒５２との間、内側リール４２Ｌ、Ｒとリールモータ４４Ｌ、Ｒとの間、の干渉が回避されている。
【００３４】
図柄変動表示ユニット５においては、図２及び図３のごとく、可動部５１２Ｌ（Ｒ）が前記長手方向外側に移動して本体部５１１からせり出すと、リール４１Ｌ（Ｒ）と小径の内側リール４２Ｌ（Ｒ）とが並列して遊技者側から視認可能な状態（特別位置）となる。一方、図４及び図５のごとく、可動部５１２Ｌ、Ｒが長手方向内側に移動して本体部５１１に収納されると、小径の内側リール４２Ｌ、Ｒに対して大径のリール４１Ｌ、Ｒが外挿配置されて重なる状態となり、小径の内側リール４２Ｌ、Ｒが遊技者側から視認できなくなる（通常位置）。このとき、小径の内側リール４２Ｌ、Ｒの内側に、可動部５１２Ｌ、Ｒに取り付けられたリールモータ４４Ｌ、Ｒが収容される状態になって干渉が回避され、本体部５１１による可動部５１２Ｌ、Ｒの収納が可能となっている。
【００３５】
このように本例のパチンコ遊技機１では、図柄を変動表示することが可能であり、並べて設けられた第１変動表示部、第２変動表示部、及び第３変動表示部として３つのリール４１が設けられている。そして、図柄を変動表示すると共に、第１変動表示部と重なって設けられた内側変動表示部として、小径の内側リール４２が設けられている。
【００３６】
図柄変動表示ユニット５が備えるリール４１、４２は、外周面に複数種類の図柄４１５（図１）が描かれた回転リールである。リール４１、４２は、上記のように、リール毎に個別に設けられたリールモータ４４、４６により独立して回転駆動される。リール４１及び４２の外周面には、略一定の間隔を空けて１〜９までの９種類９個の数字の図柄４１５が配置されている。また、リール４１、４２には、図示しない基準位置片が回転方向の所定位置に取り付けられている。基準位置片の検出により、リール４１、４２の回転位置の検出が可能となっている。
【００３７】
大径のリール４１と、小径の内側リール４２と、では、図柄表示窓１９０を介して遊技者側から視認され得る図柄４１５の個数が相違している。大径のリール４１は、遊技者側に対して最大３個の停止図柄を表示可能である。一方、内側リール４２は、外挿配置された外筒５２の表示窓５２０を介して、１個の停止図柄のみを遊技者側に表示可能である。つまり、大径のリール４１Ｌ、Ｃ、Ｒは、３個の図柄を変動表示する図柄表示領域１９５Ｌ、Ｃ、Ｒ（図１）を形成し、小径の内側リール４２Ｌ、Ｒは、１個の図柄を変動表示する特別図柄表示領域１９６Ｌ、Ｒ（図１）を形成する。
【００３８】
図柄変動表示ユニット５では、両外側のリール４１Ｌ、Ｒが上記の特別位置（図２、図３参照。）にあるか、通常位置（図４、図５参照。）にあるか、に応じて、図柄表示窓１９０を介して遊技者側から視認できる図柄表示領域の構成が変化する。両外側のリール４１Ｌ、Ｒがいずれも通常位置にあるときの図柄表示窓１９０には、図６（ａ）のごとく、縦方向３図柄分の表示領域である図柄表示領域１９５Ｌ、Ｃ、Ｒが配置され、図柄表示窓１９０全体で３行３列の９個の図柄４１５が表示される。この場合、入賞の対象となる入賞図柄の並び方向である入賞ラインとして通常入賞ライン６１１Ａ〜Ｅが設定される。通常入賞ライン６１１Ａ〜Ｃは、上中下段、３本の水平方向の入賞ラインであり、通常入賞ライン６１１Ｄ、Ｅは、上記の３行３列のエリアの対角方向の入賞ラインである。
【００３９】
一方、リール４１Ｌ（Ｒ）が前記長手方向外側の特別位置に移動し、内側リール４２Ｌ（Ｒ）が遊技者側から視認可能となったときには、図６（ｂ）あるいは（ｃ）のごとく、図柄表示領域１９５Ｌ（Ｒ）と１９５Ｃとの間に間隙が生じ、内側リール４２Ｌ（Ｒ）による特別図柄表示領域１９６Ｌ（Ｒ）が現れる。そしてこのときには、図柄表示領域１９５Ｌ（Ｒ）、Ｃ及び特別図柄表示領域１９６Ｌ（Ｒ）の組み合わせにおいて、縦方向１図柄分の特別図柄表示領域１９６Ｌ（Ｒ）を通過する水平方向の特別入賞ライン６１３（６１５）Ｂ、及び対角方向の特別入賞ライン６１３（６１５）Ｄ、Ｅが設定される。
【００４０】
パチンコ遊技機１は、大当たり当選が発生したとき、大当たり状態の発生契機となる大当たり図柄をいずれかの入賞ラインに停止表示させてその当選を報知し、大当たり状態を発生させる。なお、大当たりの当選確率が高くなる確変状態の契機となる確変大当たりは、３３３、７７７など奇数の図柄４１５の組み合わせにより報知される。
【００４１】
次に、パチンコ遊技機１の電気的な構成について、図７を用いて説明する。パチンコ遊技機１は、主制御回路２０を中心として構成されている。主制御回路２０に対しては、玉の払出を制御する払出制御回路３３、玉の打込を制御する発射制御回路３４、図柄の変動表示を含む遊技演出を制御する表示制御回路３５、入賞玉あるいは通過玉のセンサ３１２〜３１５、始動口（電チュー）１２を開放させる電チューソレノイド３２２、アタッカー１６を開放させる大入賞ソレノイド３２４、及び電力供給のための電源回路部３２８等が電気的に接続されている。
【００４２】
入賞玉あるいは通過玉の検出センサとしては、始動口１２への入賞玉を検出する始動入賞部センサ３１３、通過ゲート１４の通過玉を検出するゲート通過部センサ３１２、アタッカー１６への入賞玉を検出する大入賞部センサ３１４、及び入賞せずにアウト孔１３８へ流下した玉を検出し計数する玉排出部センサ３１５等がある。
【００４３】
払出制御回路３３は、いずれかの入賞口で入賞が発生した旨の主制御回路２０からの指示に応じて払出装置３３１を制御し、所定数の玉の払出を実行させる。
発射制御回路３４は、操作ハンドル１５の操作角度に応じて発射装置３４１を制御することで、玉の打ち出し強さをコントロールする。
【００４４】
表示制御回路３５は、アンプ／スピーカ１３１や装飾ランプ部１３２による音や光の演出を制御する機能と、リール４１Ｌ、Ｃ、Ｒ、及び内側リール４２Ｌ、Ｒによる図柄の変動表示を制御する機能と、可動部５１２Ｌ、Ｒの位置を制御する機能と、を有する回路である。
【００４５】
この表示制御回路３５は、ＣＰＵ（Central Processing Unit）３５１、記憶素子であるＲＯＭ（Read Only Memory）３５２・ＲＡＭ（Random Access Memory）３５３、及び入出力インタフェースをなすＩ／Ｏ（Input/Output）３５４等が設けられて構成されている。表示制御回路３５には、アンプ／スピーカ１３１や装飾ランプ部１３２等のほか、複数のモータが電気的に接続されている。表示制御回路３５により制御されるモータとしては、全部で５個のリールモータ４４Ｌ、Ｃ、Ｒ及び４６Ｌ、Ｒのほか、可動部５１２Ｌ、Ｒを駆動する移動モータ４７Ｌ、Ｒ等がある。さらに、この表示制御回路３５には、基準位置検出センサ４９が電気的に接続されている。この基準位置検出センサ４９は、各リール４１、４２に取り付けられた基準位置片（図示略）を検出したときに検出信号を出力する。
【００４６】
表示制御回路３５は、リールモータ４４、４６の駆動によりリール４１、４２を回転させることで図柄の変動表示を実行させる。表示制御回路３５では、基準位置検出センサ４９の検出信号に応じてリール４１、４２の回転位置を特定可能である。そして、所定時間に亘って図柄の変動表示を実行した後、大当たり抽選の抽選結果に対応した図柄４１５を入賞ラインに停止表示させる。
【００４７】
表示制御回路３５は、移動モータ４７Ｌ、Ｒとの組み合わせにより、第１変動表示部であるリール４１Ｌ（Ｒ）が内側変動表示部である内側リール４２Ｌ（Ｒ）と重なってこの内側リール４２Ｌ（Ｒ）を遮蔽した通常位置から、遊技者が内側リール４２Ｌ（Ｒ）を視認可能な位置であり、リール４１Ｌ（Ｒ）、内側リール４２Ｌ（Ｒ）、及び第２変動表示部であるリール４１Ｃによって特別入賞ライン６１３（６１５）を形成する位置である特別位置に、リール４１Ｌ（Ｒ）を移動させる移動手段としての機能を実現する。この移動手段は、リール４１Ｌ、Ｃ、Ｒによる通常入賞ライン６１１に停止表示した図柄４１５の組み合わせに対応した抽選結果がハズレ（外れ）である場合に、例えば移動モータ４７Ｌ（Ｒ）の回転に連動した前記駆動ギアの回転に伴って第１変動表示部としてのリール４１Ｌ（Ｒ）を水平方向（前記長手方向に当たる左右方向）に駆動し、特別位置（図２、図３）に移動させる。
【００４８】
主制御回路２０は、図７に示すごとく、ＣＰＵ２８、記憶素子であるＲＯＭ２９・ＲＡＭ２４、所定範囲の乱数を発生する乱数発生部２７、抽選用乱数を抽出する乱数抽出部２６、及び入出力インタフェースをなすＩ／Ｏ２５等を備えている。
【００４９】
ＲＡＭ２４は、ＣＰＵ２８のワークエリアや一時書き込みに利用される読み書き可能な記憶素子である。ＲＡＭ２４の記憶エリアには、各４データ分の特図保留エリア２４１、及び普図保留エリア２４３が割り当てられている。特図保留エリア２４１は、大当たり抽選の抽選結果である特図保留の記憶領域である。普図保留エリア２４３は、普図判定結果の記憶領域である。
【００５０】
ＲＯＭ２９は、ＣＰＵ２８に実行させる各種の処理プログラムを記憶しているほか、図示しない大当たり抽選用の抽選テーブル、及び普図判定用の抽選テーブルのほか、後述する演出抽選テーブルを記憶している。
大当たり抽選用の抽選テーブルでは、通常状態及び確変状態についてそれぞれ大当たりの当選乱数が規定されている。時短状態については、通常状態について規定された当選乱数が適用される。本例では、通常状態及び時短状態における大当たりの当選確率が１／３００、確変状態における大当たりの当選確率が１／６０になるように当選乱数が規定されている。なお、大当たり当選のうちの確変大当たりの割合は、大当たり当選時の５０％に設定されている。
【００５１】
演出抽選テーブルは、大当たり当選の場合に、上記の通常入賞ライン６１１、特別入賞ライン６１３、６１５のうち、いずれの入賞ラインで大当たり抽選結果を報知するか、及びその際の図柄変動の内容等を決定するための演出抽選用の抽選テーブルである。演出抽選テーブルでは、３種類の入賞ライン６１１、６１３、６１５毎にそれぞれ当選乱数が規定されている。演出抽選テーブルに対して大当たり抽選の抽選用乱数を照合することで、大当たり抽選の抽選結果を報知する入賞ラインや、その際の図柄変動の内容等が決定される。また、演出抽選テーブルは、大当たり抽選結果がハズレの場合に、リーチ演出を発生させるか否か、発生させる場合にはいずれの入賞ラインでリーチ演出を発生させるか、及びその際の図柄変動の内容等を決定するためにも用いるものである。
【００５２】
通常入賞ライン６１１で大当たり抽選の抽選結果が報知される場合には、リーチ演出が発生する場合と、発生しない場合と、がある。演出抽選で通常入賞ライン６１１による報知が決定された場合には、併せてリーチ演出を発生させるか否かが決定される。
【００５３】
一方、特別入賞ライン６１３、６１５で大当たり抽選の抽選結果が報知される場合、リーチ演出が発生する。特別入賞ライン６１３、６１５で報知が行われる場合のリーチ演出には、２種類のリーチ演出がある。
１つめのリーチ演出は、一の入賞ラインに先に停止表示した図柄４１５が大当たり図柄の組み合わせの一部を形成した状態で、その一の入賞ライン上の残りの図柄４１５が変動表示を継続するという通常のリーチ演出である。この通常のリーチ演出は、内側リール４２で大当たり図柄（大当たり図柄を構成する図柄）が停止すれば大当たりというリーチ状態下で実行される。
２つめのリーチ演出は、リール４１が上記の特別位置へ移動して特別入賞ライン６１３あるいは特別入賞ライン６１５が成立すれば、その特別入賞ライン上に大当たり図柄が表示されるというリーチ演出である。このリーチ演出は、リール４１が特別位置へ移動できれば大当たりというリーチ状態下で実行される。なお、リール４１の特別位置への移動が完了しなければ特別入賞ラインが成立せず、特別入賞ライン上での報知が行われない。この場合には、通常入賞ライン６１１上に停止表示済みのハズレ図柄によりハズレが確定する。以下の説明では、このリーチ演出を、特別入賞ラインの成否演出によるリーチ演出という。
【００５４】
したがって、上記の演出抽選によれば、（１）通常入賞ライン６１１上の非リーチ演出による大当たり抽選結果（ハズレ）の報知演出パターン、（２）通常入賞ライン６１１上のリーチ演出による大当たり抽選結果の報知演出パターン、（３）特別入賞ライン６１３上のリーチ演出による大当たり抽選結果の報知演出パターン、（４）特別入賞ライン６１５上のリーチ演出による大当たり抽選結果の報知演出パターン、（５）特別入賞ライン６１３、６１５の成否演出（リーチ演出）による大当たり抽選結果の報知演出パターン、のうちのいずれかの報知演出パターンが択一的に決定される。なお、これらの報知演出パターンの内容については後で詳しく説明する。
【００５５】
大当たり抽選の抽選用乱数のうちの大当たりの当選乱数は、リーチ演出を含む上記の（２）〜（５）の報知演出パターンのうちのいずれかに対応している。したがって、大当たり当選は必ずリーチ演出により大当たりが報知される。一方、大当たり抽選のハズレ乱数については、リーチ演出が実行されない上記の（１）の報知演出パターンに対応するハズレ乱数のほか、リーチ演出を含む上記の（２）〜（５）の報知演出パターンに対応するハズレ乱数が設定されている。したがって、大当たり抽選がハズレのときでも、リーチ演出によりそのハズレが報知されることがある。
【００５６】
主制御回路２０は、図７のごとく、ＲＯＭ２９から読み出した処理プログラムをＣＰＵ２８に実行させることにより、以下の（１）〜（６）の各手段としての機能を実現している。
（１）抽選手段：所定の抽選条件が成立した場合に遊技者に有利な特別遊技状態の一例である大当たり状態の抽選（大当たり抽選）を実行する手段。抽選手段は、始動口１２に玉が入賞した場合に、抽選条件の成立に応じて乱数抽出部２６が抽出する抽選用乱数を取得することで大当たり抽選等を実行する。
（２）記憶手段：抽選手段による抽選結果の一例である抽選用乱数を特図保留として記憶する手段。記憶手段は、所定の上限保留数の一例である４個を限度として、特図保留エリア２４１に特図保留を記憶する。なお、普図判定結果については、４個を上限として普図保留エリア２４３に普図保留として記憶する。
（３）読出手段：記憶手段により記憶されている特図保留を１つずつ読み出すと共に、特図保留の読み出しに応じて記憶手段の保留数（特図保留の記憶数）を減少させる手段。読出手段は、特図保留を読み出す際、記憶時点が古いものから順番に読み出す。なお、普図保留エリア２４３の普図保留についても同様に読み出される。
（４）当否判定手段：読出手段が読み出した特図保留の当否（大当たり当選か否か）を判定する手段。
（５）通常発生手段：リール４１（第１変動表示部、第２変動表示部、及び第３変動表示部）によって形成される通常入賞ライン６１１において、それらのリール４１Ｌ、Ｃ、Ｒが停止表示した図柄４１５の組み合わせが、大当たり状態（特別遊技状態）の発生に対応した図柄の組み合わせ（大当たり図柄）である場合に大当たり状態を発生させる手段。
（６）特別発生手段：特別入賞ライン６１３（６１５）において、第１変動表示部をなすリール４１Ｌ（Ｒ）、内側変動表示部をなす内側リール４２Ｌ（Ｒ）、及び第２変動表示部をなすリール４１Ｃが停止表示した図柄４１５の組み合わせが、大当たり状態（特別遊技状態）の発生に対応した図柄の組み合わせ（大当たり図柄）である場合に大当たり状態を発生させる手段。
【００５７】
次に、以上のように構成された本例のパチンコ遊技機１の基本動作を概説する。このパチンコ遊技機１は、操作ハンドル１５が右回転方向に操作されたとき、その操作角度に応じた強度で玉を発射する。発射された玉は、通過ゲート１４などが配置された遊技領域１３０を流下する。入賞しなかった玉は、遊技領域１３０の最下部に設けられたアウト孔１３８から回収される。
【００５８】
主制御回路２０は、通過ゲート１４を通過する玉を検出したとき、乱数発生部２７が発生する乱数の中から普図判定の抽選用乱数を抽出する抽選処理を実行する。主制御回路２０は、この抽選用乱数を普図判定用の抽選テーブルと照合することにより、普図判定の結果を決定する。普図判定の結果が当選のときには、普図表示部１８２を構成するＬＥＤが点滅の後、点灯状態となる。ハズレのときには、点滅の後、消灯状態となる。主制御回路２０は、普図判定に当選したとき、始動口（電動チューリップ）１２の可動羽根１２１を開放させる。
【００５９】
主制御回路２０は、始動口１２に入賞した玉を検出すると大当たり抽選の抽選用乱数の抽出を実行し、特図保留として特図保留エリア２４１に記憶する。ただし、特図保留エリア２４１の保留数が上限個数の４個である場合には、抽選用乱数は特図保留エリア２４１に記憶されることなくそのまま消去される。
【００６０】
大当たり状態が発生中ではないとき、主制御回路２０は、図柄変動の停止中に特図保留エリア２４１の特図保留を記憶されたタイミングが古いものから順番に１つずつ読み出す。そして、読み出した特図保留の抽選用乱数を大当たり抽選用の抽選テーブルと照合して大当たり抽選の当否を決定する。さらに、同じ抽選用乱数を演出抽選用の抽選テーブルと照合し、大当たり抽選の抽選結果を報知するための報知演出パターン（後述）を決定する。
【００６１】
特図保留を読み出した後、主制御回路２０は、大当たり抽選の抽選結果、及び演出抽選の抽選結果を表示制御回路３５に入力する。表示制御回路３５は、大当たり抽選及び演出抽選の結果の入力を受けて、中央表示器１９による図柄の変動表示を開始する。なお、図柄の変動表示の開始時には、図柄変動表示ユニット５の可動部５１２Ｌ、Ｒが本体部５１１に収納された状態、すなわちリール４１Ｌ、Ｒが上記の通常位置に位置する状態（図４、図５参照。）を起点として図柄の変動表示が開始される。
【００６２】
表示制御回路３５は、リールモータ４４、４６に制御パルスを入力し、１パルス毎に１ステップずつ回転させることにより対応するリール４１、４２を回転させ、図柄の変動表示を実行する。なお、図柄の変動表示を実行する際、リール４１Ｌ、Ｃ、Ｒは必ず回転駆動される一方、内側リール４２Ｌ、Ｒについては、上記の演出抽選の結果に応じて適宜、回転駆動される。
【００６３】
表示制御回路３５は、リールモータ４４、４６に入力した制御パルス数、すなわちリールモータ４４、４６が回転したステップ数をカウントしている。このステップ数は、リール４１、４２の基準位置片の検出信号を取り込むごとにゼロリセットされ、直近の検出信号が発生した後のステップ数となっている。表示制御回路３５は、ステップ数に基づいてリール４１、４２の回転位置を特定し、これにより表示中の図柄４１５を特定する。
【００６４】
表示制御回路３５は、大当たり当選の場合、リーチ演出を含む図柄の変動表示の後、同じ数字の図柄の組み合わせである大当たり図柄を上記の通常入賞ライン６１１あるいは特別入賞ライン６１３、６１５に停止表示させる。確変大当たり当選の場合には、奇数の同じ数字の図柄の組み合わせが停止表示され、通常大当たり当選の場合には、偶数の同じ数字の図柄の組み合わせが停止表示される。一方、ハズレの場合には、揃いの図柄ではないハズレ図柄が停止表示される。
【００６５】
大当たり当選が発生したとき、主制御回路２０は、大当たりの報知を待って大当たり状態を発生させる。大当たり状態では、３０秒経過するか１０個入賞するまで大入賞口１６０を開放するラウンド処理が１５回繰返し実行される。なお、１回の大当たり状態が発生したときの出玉（差玉＝払出玉−打込玉）は約１５００個となっている。
【００６６】
主制御回路２０は、通常大当たり状態の終了後には、始動口（電チュー）１２が開放される電動サポート有りの時短状態を、図柄変動５０回転に渡って発生させる。また、確変大当たり状態の終了後には確変状態を発生させる。この確変状態は、時短状態を伴って発生し、新たな大当たり状態の発生に応じて終了する。
【００６７】
次に、本例のパチンコ遊技機１で実行される図柄の変動表示による演出内容について説明する。このパチンコ遊技機１では、大当たり抽選結果の報知演出パターンとして上記の（１）〜（５）の報知演出パターンが設定されており、演出抽選によりいずれかの報知演出パターンが択一的に決定される。以下、各報知演出パターンにおける演出の内容を説明する。
【００６８】
（１）通常入賞ライン６１１上の非リーチ演出による大当たり抽選結果（ハズレ）の報知演出パターン
この報知演出パターンは、大当たり抽選がハズレの場合にのみ実行されるパターンであり、リール４１Ｌ、Ｃ、Ｒによる通常入賞ライン６１１でハズレを確定的に報知する。この報知演出パターンでは、リール４１Ｌ、Ｃ、Ｒの回転が一斉に開始された後、左→右→中の順番で図柄が停止表示される。この報知演出パターンでは、図８（ａ）のごとく、左リール４１Ｌでいずれかの図柄４１５が停止表示された後、右リール４１Ｒで異なる図柄４１５が停止表示され、この時点で、全ての通常入賞ライン６１１上でのハズレ図柄が確定する。そして、同図（ｂ）のごとく、中リール４１Ｃが停止した後、可動部５１２Ｌ、Ｒが移動することなく、リール４１Ｌ、Ｒが通常位置（図４、図５参照。）に保持されたまま、大当たり抽選のハズレが確定する。
【００６９】
（２）通常入賞ライン６１１上のリーチ演出による大当たり抽選結果の報知演出パターン
この報知演出パターンは、いずれかの通常入賞ライン６１１上でのリーチ演出を経由して大当たり抽選結果を確定的に報知するパターンである。この報知演出パターンで報知される大当たり抽選結果としては、大当たり及びハズレの両方がある。この報知演出パターンは、リール４１Ｌ、Ｒが通常位置に保持されたままで実行される。
【００７０】
この報知演出パターンでは、図９（ａ）のごとく、例えば通常入賞ライン６１１Ｂにおいて、左リール４１Ｌでいずれかの図柄４１５が停止表示された後、右リール４１Ｒで同じ図柄４１５が停止表示される一方、中リール４１Ｃでは図柄の変動表示が継続中というリーチ状態が発生する。その後、大当たりのときは、中リール４１Ｃで同じ図柄４１５が停止表示されて大当たりが確定的に報知される（同図（ｂ））。一方、ハズレのときには、中リール４１Ｃで異なる図柄４１５が停止表示されてハズレが確定的に報知される（同図（ｃ））。
【００７１】
（３）特別入賞ライン６１３上のリーチ演出による大当たり抽選結果の報知演出パターン
この報知演出パターンは、図１０のごとく、リール４１Ｌが移動して出現する特別入賞ライン６１３上でのリーチ演出により大当たり抽選結果を報知するパターンである。この報知演出パターンでは、同図（ａ）のごとく、リール４１Ｌ、Ｃ、Ｒによる通常入賞ライン６１１にハズレ図柄が疑似的に停止表示された後、リール４１Ｌに遮蔽された内側リール４２Ｌの回転が開始される。そして同図（ｂ）のごとく、移動モータ４７Ｌにより可動部５１２Ｌが駆動されて外側に移動し、特別入賞ライン６１３上で中央の内側リール４２Ｌのみが遊技者から（前側から）視認可能な状態で回転中という図柄変動の状態となる。なおここで、通常入賞ライン６１１上でのハズレ図柄の停止表示は、リーチ演出を経由しても良いし、経由しなくても良い。通常入賞ライン６１１上でリーチ演出を実行するか否かは演出抽選により決定すると良い。
【００７２】
この報知演出パターンの実行時には、リール４１Ｌ、Ｃ、Ｒが図柄を停止表示する際（図１０（ａ））、リール４１Ｌの上段の図柄とリール４１Ｃの下段の図柄とが同じであるか、リール４１Ｌの下段の図柄とリール４１Ｃの上段の図柄とが同じであるか、リール４１Ｌの中段の図柄とリール４１Ｃの中段の図柄とが同じであるように、リール４１Ｌ、Ｃ、Ｒが制御される。つまり、第１変動表示部としてのリール４１Ｌを外側の特別位置に移動させる上記の移動手段は、リール４１Ｌ及び第２変動表示部としてのリール４１Ｃが停止表示している図柄が、リール４１Ｌを特別位置に移動させると、特別入賞ライン６１３において大当たり図柄の組み合わせの一部を形成することになる図柄である場合に、リール４１Ｌを特別位置に移動させる。
【００７３】
このようにリール４１Ｌ、Ｃが停止していれば、その後、図１０（ｂ）のごとく、リール４１Ｌが外側の特別位置に移動して図柄変動中の内側リール４２Ｌが現れたとき、例えば特別入賞ライン６１３Ｅでのリーチ状態となる。つまり、内側変動表示部としての内側リール４２Ｌは、第１変動表示部としてのリール４１Ｌ及び第２変動表示部としてのリール４１Ｃが特別入賞ライン６１３において大当たり図柄の組み合わせの一部を形成している状況で、図柄を変動表示する。このリーチ状態の後、大当たりのときは、内側リール４２Ｌの停止により、例えば特別入賞ライン６１３Ｅに図柄４１５が揃って大当たりが確定的に報知される（同図（ｃ））。一方、ハズレのときは、特別入賞ライン６１３に同じ図柄４１５が揃わないように内側リール４２Ｌが停止し、ハズレが確定的に報知される。
【００７４】
（４）特別入賞ライン６１５上のリーチ演出による大当たり抽選結果の報知演出パターン
この報知演出パターンは、リール４１Ｌが移動して出現する特別入賞ライン６１３上でのハズレ図柄の疑似的な停止表示（図１１（ｂ））に続いて、リール４１Ｒが移動して出現する特別入賞ライン６１５上でリーチ演出を実行して大当たり抽選結果を報知するパターンである。特別入賞ライン６１３にハズレ図柄を停止表示するまでの演出の流れは上記（３）の報知演出パターンと同様である。
【００７５】
この報知演出パターンでは、特別入賞ライン６１３にハズレ図柄が疑似的に停止表示された後（図１１（ｂ））、リール４１Ｒに遮蔽された内側リール４２Ｒの回転が開始される。そして同図（ｃ）のごとく、移動モータ４７Ｒにより可動部５１２Ｒが駆動されて外側に移動し、特別入賞ライン６１５上で中央の内側リール４２Ｒのみ、遊技者から（前側から）視認可能な状態で回転中という図柄変動の状態となる。
【００７６】
なお、この報知演出パターンの実行時には、最初にリール４１Ｌ、Ｃ、Ｒが停止する際（図１１（ａ））、リール４１Ｒの上段の図柄とリール４１Ｃの下段の図柄とが同じであるか、リール４１Ｒの下段の図柄とリール４１Ｃの上段の図柄とが同じであるか、リール４１Ｒの中段の図柄とリール４１Ｃの中段の図柄とが同じであるようにリール４１Ｌ、Ｃ、Ｒが制御される。つまり、第１変動表示部としてのリール４１Ｒを外側の特別位置に移動させる上記の移動手段は、リール４１Ｒ及び第２変動表示部としてのリール４１Ｃが停止表示している図柄が、リール４１Ｒを特別位置に移動させると、特別入賞ライン６１５において大当たり図柄の組み合わせの一部を形成することになる図柄である場合に、リール４１Ｒを特別位置に移動させる。
【００７７】
このようにリール４１Ｃ、Ｒが停止していれば、その後、リール４１Ｒが外側に移動して図柄変動中の内側リール４２Ｒが現れたとき、例えば特別入賞ライン６１５Ｄでのリーチ状態となる（図１１（ｃ））。つまり、内側変動表示部としての内側リール４２Ｒは、第１変動表示部としてのリール４１Ｒ及び第２変動表示部としてのリール４１Ｃが特別入賞ライン６１５において大当たり図柄の組み合わせの一部を形成している状況で、図柄を変動表示する。このリーチ状態の後、大当たりのときは、内側リール４２Ｒの停止により、例えば特別入賞ライン６１５Ｄに同じ図柄４１５が揃って大当たりが確定的に報知される（同図（ｄ））。一方、ハズレのときは、特別入賞ライン６１５に同じ図柄４１５が揃わないように内側リール４２Ｒが停止し、ハズレが確定的に報知される。
【００７８】
（５）特別入賞ラインの成否演出（リーチ演出）による大当たり抽選結果の報知演出パターン
この報知演出パターンは、特別入賞ライン６１３（６１５）が成立するか否かという成否演出（リーチ演出）により大当たり抽選結果を報知するパターンである。この報知演出パターンは、図１２（ａ）のごとく、通常入賞ライン６１１にハズレ図柄が疑似的に停止表示された後、リール４１が特別位置に向けて移動を開始する時点において既に内側リール４２Ｌ（Ｒ）が停止している点で、（３）のパターンとは相違している。なお、通常入賞ライン６１１上でのハズレ図柄の停止表示の制御については（３）のパターンと同様である。この報知演出パターンとしては、リール４１Ｌが特別位置に移動できるかどうかの演出パターンと、リール４１Ｒが特別位置に移動できるかどうかの演出パターンと、の２種類がある。図１２は、リール４１Ｌを利用する演出パターンを例示している。
【００７９】
この報知演出パターンの実行時には、リール４１Ｌ、Ｃ、Ｒが図柄を停止表示する際（図１２（ａ））、リール４１Ｌの上段の図柄とリール４１Ｃの下段の図柄とが同じであるか、リール４１Ｌの下段の図柄とリール４１Ｃの上段の図柄とが同じであるか、リール４１Ｌの中段の図柄とリール４１Ｃの中段の図柄とが同じであるように、リール４１Ｌ、Ｃ、Ｒが制御される。さらに、内側変動表示部としての内側リール４２Ｌについては、リール４１Ｌとリール４１Ｃが停止表示する“同じ図柄”と同じ図柄を停止表示するように回転位置が制御される。
【００８０】
このようにリール４１Ｌ、Ｃ、及び内側リール４２Ｌが停止していれば、その後、リール４１Ｌが外側の特別位置への移動を開始した後（図１２（ｂ））、特別入賞ライン６１３Ｅが成立すれば、この特別入賞ライン６１３Ｅ上の図柄４１５が揃って大当たりが確定的に報知される（同図（ｃ））。一方、ハズレのときは、リール４１Ｌが外側の特別位置への移動を開始しても（同図（ｂ））、特別位置への移動を完了できずに通常位置に戻ってしまう。この場合、特別入賞ライン６１３Ｅが成立せず、これにより、通常入賞ライン６１１に停止表示されたハズレ図柄によりハズレが確定的に報知される（同図（ｄ））。
【００８１】
特に、この特別入賞ライン６１３の成否演出（リーチ演出）である（５）の報知演出パターンでは、通常位置と特別位置との間の中間的な位置において、内側リール４２Ｌが外側への移動と内側への移動を交互に繰り返すような制御が実行される。これにより、特別位置への移動の途中で、リール４１Ｌが左右にガタガタと揺れるような進退を繰り返し、内側リール４２Ｌの大当たり図柄が見え隠れするような演出が行われる（図１２（ｂ））。リール４１Ｌが特別位置への移動を完了できれば、特別入賞ライン６１３が成立して大当たりが確定するため、リール４１Ｌが特別位置に移動できるかどうかについて、遊技者を注目させ、ワクワク感やドキドキ感を感じさせることができる。
【００８２】
なお、（３）〜（５）の報知演出パターンが実行されてリール４１Ｌあるいはリール４１Ｒが特別位置に移動した場合、図柄変動が全て終了して１回の大当たり抽選結果が確定的に報知された後、次の図柄変動が開始されるまでにリール４１Ｌ、Ｒが元の通常位置に戻る。具体的には、移動モータ４７Ｌ、Ｒの回転に連動した前記駆動ギアの回転に伴って可動部５１２Ｌ、Ｒが駆動されて内側に移動し、リール４１Ｌ、Ｒが特別位置から通常位置に戻る。これにより、内側リール４２Ｌ、Ｒは、リール４１Ｌ、Ｒに再度遮蔽されて遊技者側から視認できない状態となる。
【００８３】
以上のように構成された本例のパチンコ遊技機１は、通常入賞ライン６１１を形成するリール４１Ｌ、Ｃ、Ｒに加えて、リール４１Ｌ（Ｒ）と重なって設けられた内側変動表示部である内側リール４２Ｌ（Ｒ）を有していると共に、内側リール４２Ｌ（Ｒ）が視認可能となる特別位置にリール４１Ｌ（Ｒ）を移動できる。
【００８４】
このパチンコ遊技機１では、リール４１Ｌ、Ｃ、Ｒによって形成される通常入賞ライン６１１上に大当たり図柄が停止表示された場合に大当たり状態が発生する。さらに、通常入賞ライン６１１にハズレ図柄が停止した場合であっても、リール４１Ｌ（Ｒ）が特別位置に移動してリール４１Ｃ及び内側リール４２Ｌ（Ｒ）と共に形成する特別入賞ライン６１３（６１５）に大当たり図柄が停止すれば大当たり状態が発生する。
【００８５】
このようにパチンコ遊技機１では、リール４１Ｌ（Ｒ）が移動することで特別入賞ライン６１３（６１５）を形成すると共に内側リール４２Ｌ（Ｒ）が視認可能になる。つまり、このパチンコ遊技機１では、リール４１Ｌ（Ｒ）の移動により単に内側リール４２Ｌ（Ｒ）が視認可能になるだけではなく、内側リール４２Ｌ（Ｒ）による図柄変動にリール４１Ｌ（Ｒ）の停止図柄が関係することになる。これにより、このパチンコ遊技機１では、リール４１Ｌ（Ｒ）が移動するか否か、及びリール４１Ｌ（Ｒ）に停止している図柄に遊技者が注目するように仕向けることができ、この結果、遊技に対する遊技者の注目度を向上できる。
【００８６】
さらに、本例のパチンコ遊技機１では、通常入賞ライン６１１にハズレ図柄が停止表示された場合に、第１変動表示部としてのリール４１Ｌが特別位置に移動する。通常入賞ライン６１１にハズレ図柄が停止表示されても、まだ、大当たりの可能性が残るため、遊技者は、リール４１Ｌの移動開始に望みをつなぐことができる。このようにパチンコ遊技機１では、ハズレ図柄が通常入賞ライン６１１に停止表示された場合であっても、遊技者の期待感を維持でき、遊技に対する遊技者の注目度を高めることができる。
【００８７】
なお、通常入賞ライン６１１にハズレ図柄が停止表示されたとき、そのハズレ図柄の組み合わせによらずリール４１Ｌ（Ｒ）が移動を開始する訳ではない。上記の（３）、（４）の報知演出パターンでは、リール４１Ｌ（Ｒ）が特別位置に移動すれば、リール４１Ｌ（Ｒ）及びリール４１Ｃが停止表示している図柄が特別入賞ライン６１３（６１５）上でのリーチ状態を発生させる場合に、リール４１Ｌ（Ｒ）の特別位置への移動可能性が生じる。そして、リール４１Ｌ（Ｒ）が特別位置へ移動し、リール４１Ｌ（Ｒ）及びリール４１Ｃが特別入賞ライン６１３（６１５）上でリーチ状態となっている状況で、内側リール４２Ｌ（Ｒ）が図柄を変動表示する。したがって、仮にリール４１Ｌ（Ｒ）が通常位置から特別位置に移動すれば、リール４１Ｌ（Ｒ）とリール４１Ｃとで特別入賞ライン６１３（６１５）にてリーチ状態が発生する状況であれば、リール４１Ｌ（Ｒ）の移動開始に遊技者が一層期待するようになり、遊技への注目度を高める効果を顕著なものにできる。
【００８８】
また、上記の（５）の報知演出パターンでは、移動手段としての表示制御回路３５は、リール４１Ｌ（Ｒ）及びリール４１Ｃが停止表示している図柄が、リール４１Ｌ（Ｒ）を特別位置に移動させれば大当たり図柄の一部を形成することになる図柄である場合に、リール４１Ｌ（Ｒ）の特別位置への移動を開始させる。そして、リール４１Ｌ（Ｒ）の特別位置への移動が開始される場合、内側変動表示部である内側リール４２Ｌ（Ｒ）は、リール４１Ｌ（Ｒ）が特別位置に到達する前に、大当たり図柄の一部を形成する図柄を停止表示する。
【００８９】
このように、上記の（５）の報知演出パターンでは、内側リール４２Ｌ（Ｒ）で大当たり図柄が既に停止しており、リール４１Ｌ（Ｒ）が特別位置へ移動して特別入賞ライン６１３（６１５）が成立すれば、大当たりが確定するというリーチ状態で、特別位置に向かうリール４１Ｌ（Ｒ）の移動が実行される。なお、内側リール４２Ｌ（Ｒ）が大当たり図柄を停止表示するタイミングとしては、リール４１Ｌ（Ｒ）が特別位置に到達する前であれば良いが、リール４１Ｌ（Ｒ）が特別位置への移動を開始する前、すなわちリール４１Ｌ（Ｒ）がまだ通常位置に位置している時点であっても良い。さらに、リール４１Ｌ（Ｒ）が通常入賞ライン６１１上でハズレ図柄を停止表示するよりも前の時点であっても良い。リール４１Ｌ（Ｒ）が特別位置に移動する途中で、通常位置に戻りかける演出を実行しても良いが、この戻りかける演出の実行時点よりも前に、内側リール４２Ｌ（Ｒ）が停止していると良い。
【００９０】
本例の構成に代えて、あるいは加えて以下のような構成を採用することも良い。また、以下の各構成を適宜組み合わせて採用することも良い。
【００９１】
本例では、遊技領域１３０に発射した玉が入賞したときに遊技価値である玉を払い出すパチンコ遊技機１を例示したが、その他の遊技機に本願発明の構成を適用しても良い。例えば、玉が封入してあり、得点を消費して玉を発射する封入式パチンコ遊技機や、スタートレバーの操作に応じて抽選を実行するスロットマシンに本願発明の構成を適用することも可能である。
【００９２】
本例では変動表示部の一例としてリール４１、内側リール４２を用いる構成を例示したが、かかる構成に限定されるものではない。例えばリールを回転させるのではなく、液晶画面にて図柄を表示し、表示図柄にて図柄の変動表示を実行する構成が考えられる。また、人形を動作させることで変動表示を行い、停止した人形の種類や人形のポーズによって抽選結果を報知する図柄変動を実行する構成にすることも可能である。
【００９３】
本例では、抽選結果の報知演出の際に内側リール４２が移動しない構成を採用しているが、内側リール４２を移動可能としても良い。例えば、可動部５１２が移動したときに内側リール４２が遊技者から視認できる場合に加えて、可動部５１２が移動したときに内側リール４２が遊技者側から視認不可能な位置に移動していることによりハズレが報知される場合などを設けることも良い。また、内側リール４２を備えておらず、可動部５１２が移動するのみの演出を実行する構成を採用しても良い。この場合、例えば可動部５１２が上下に移動することで、通常入賞ラインにてリーチ状態を発生させる構成が考えられる。本構成においては、可動部５１２が移動してリーチ状態を発生させた場合、移動が伴わない場合に比べて大当たり当選が発生している期待度（当選期待度）が高くなるように演出の実行頻度を設定すると良い。
【００９４】
本例では、入賞ラインとして一直線のものを例示したが、直線ではなく途中で曲がっている入賞ラインを採用することも可能である。また、３個の図柄（３つのリール）にて大当たり当選に対応した図柄の組み合わせを形成する構成にしたが、４個以上の図柄にて大当たり当選に対応した図柄の組み合わせを形成することも可能である。
【００９５】
本例では、第１変動表示部としてのリール４１Ｌ（Ｒ）が特別位置に移動するとリール４１Ｌ（Ｒ）及び第２変動表示部としてのリール４１Ｃの図柄の組み合わせでリーチ状態となる場合に、第１変動表示部としてのリール４１Ｌ（Ｒ）が移動することがある構成を例示したが、かかる構成に限定されるものではない。第１変動表示部を特別位置に移動させても第１変動表示部及び第２変動表示部の図柄の組み合わせでリーチ状態となる図柄を停止表示していない場合に、第１変動表示部が移動することがある構成にしても良い。この構成の場合には、第１変動表示部の移動に応じて、第１変動表示部及び第２変動表示部の少なくとも一方で停止表示している図柄を変更してリーチ状態とする構成にすれば良い。
【００９６】
本例では、１回の抽選結果を表示（報知）する図柄の変動表示の過程において、第１〜第３変動表示部であるリール４１Ｌ、Ｃ、Ｒにてハズレ図柄を停止表示した状態でその停止図柄を確定表示させることなく、内側変動表示部である内側リール４２Ｌ、Ｒによる演出を実行する構成を例示している。この構成に代えて、第１〜第３変動表示部であるリール４１Ｌ、Ｃ、Ｒにてハズレ図柄を停止表示することなく、第１変動表示部としてのリール４１Ｌ（Ｒ）が移動した後、リール４１Ｌ（Ｒ）と、内側変動表示部である内側リール４２Ｌ（Ｒ）と、第２変動表示部であるリール４１Ｃと、による図柄の変動表示を開始する構成にしても良い。
【００９７】
本例では、第１変動表示部としてのリール４１Ｌが移動してリーチ演出が発生した後、第１変動表示部としてのリール４１Ｒが移動してリーチ演出が発生する構成を例示している。これに代えて、リール４１Ｒが移動してリーチ演出が発生した後で、リール４１Ｌが移動するようにしても良いし、リール４１Ｌ、Ｒが同時に移動する構成を採用することも良い。
【００９８】
確変大当たり当選の場合と、通常大当たり当選の場合とで、第１変動表示部としてのリール４１Ｌ、Ｒが移動する演出の発生確率に差を設けることも良い。例えば、確変大当たりの場合には、リール４１Ｌ、Ｒが移動する演出の発生確率を高くする一方、通常大当たりの場合には、リール４１Ｌ、Ｒが移動する演出の発生確率を抑えることも良い。この場合には、第１変動表示部としてのリール４１が移動する演出に応じて、確変大当たり当選に対する遊技者の期待感を高揚できる。
【００９９】
本例では、第１変動表示部としてのリール４１Ｌ、Ｒの移動方法として、移動モータ４７Ｌ、Ｒの回転動作をスライドレールに沿う直線的な動作に変換してリール４１Ｌ、Ｒを移動させる構成を例示している。移動方法は、この構成に限らず、任意に変更しても良い。例えば磁力によって第１変動表示部を磁気的に吸引して移動させる構成や、進退可能なプランジャを備える電磁ソレノイドを設け、プランジャの電磁的な突出及び引き込みによって第１変動表示部を移動させる構成等が考えられる。
【０１００】
第１変動表示部としてのリール４１Ｌ（Ｒ）が、内側変動表示部としての内側リール４２Ｌ（Ｒ）を遮蔽する面積は適宜変更可能であり、通常位置において遊技者が内側変動表示部の一部を視認可能であっても良い。つまり、第１変動表示部と内側変動表示部との少なくとも一部が前後方向又は左右方向に重なっていれば良い。この場合、通常位置よりも特別位置の方が内側変動表示部における図柄の変動表示を遊技者が視認し易くすると良い。
【０１０１】
本例では、上記（５）の報知演出パターンとしてリール４１Ｌ（Ｒ）が外側に移動する演出を例示している。リール４１Ｌの移動による特別入賞ライン６１３の成否演出（リーチ演出）を実行した後、さらにリール４１Ｒを利用して特別入賞ライン６１５の成否演出（リーチ演出）を実行しても良い。このとき、リール４１Ｌ及びリール４１Ｒが移動する順番を逆にしても良いし、リール４１Ｌ、Ｒの移動を同時進行で実行しても良い。また例えば、リール４１Ｌを利用して上記の（３）の報知演出パターンを実行した後、リール４１Ｒを利用して上記の（５）の報知パターン演出を実行しても良い。さらに、上記の（５）の報知演出パターンの開始後に、内側リール４２Ｌ（Ｒ）が図柄変動を開始し、これにより上記の（３）の報知演出パターンに途中で切り替わる場合を設定しても良い。
【０１０２】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更、あるいは適宜組み合わせた技術を包含している。
【符号の説明】
【０１０３】
１  パチンコ遊技機（遊技機）
１２  始動口
１３０  遊技領域
１５  操作ハンドル
１６  大入賞装置（アタッカー）
１９  中央表示器
１９０  図柄表示窓
１９５  図柄表示領域
１９６  特別図柄表示領域
２０  主制御回路（抽選手段、記憶手段、読出手段、当否判定手段、通常発生手段、特別発生手段）
３５  表示制御回路（移動手段）
４１  リール（第１〜第３変動表示部）
４２  内側リール（内側変動表示部）
４４、４６  リールモータ
４７  移動モータ（移動手段）
５  図柄変動表示ユニット
５１  筐体
５１１  本体部
５１２  可動部
５１８  スライドレール
５２  外筒
５２０  表示窓
６１１  通常入賞ライン
６１３、６１５  特別入賞ライン
【図１】
2019088767.tif 000003
【図２】
2019088767.tif 000004
【図３】
2019088767.tif 000005
【図４】
2019088767.tif 000006
【図５】
2019088767.tif 000007
【図６】
2019088767.tif 000008
【図７】
2019088767.tif 000009
【図８】
2019088767.tif 000010
【図９】
2019088767.tif 000011
【図１０】
2019088767.tif 000012
【図１１】
2019088767.tif 000013
【図１２】
2019088767.tif 000014